(57)【要約】【課題】エレベータの仕様データの更新に要する人手と時間を省くことができるエレベータの仕様データ更新方法の提供。【解決手段】本発明は、エレベータ７の状態を監視する遠隔監視端末２と、この遠隔監視端末２とインターネット９を通じて接続され、エレベータ７の仕様データを管理する管制センタ１とを備えた管理システムに適用され、遠隔監視端末２と管制センタ１とを接続するステップと、遠隔監視端末２がエレベータ７の更新用仕様データを取得するステップと、遠隔監視端末２がエレベータ７を動作させ、このエレベータ７の動作結果を検知するステップと、遠隔監視端末２が検知したエレベータ７の動作結果に基づいて、更新用仕様データの内容を修正するステップと、管制センタ１の仕様データを遠隔監視端末２によって修正された更新用仕様データに更新するステップとを備えた。【選択図】図１
2015044643.tif 000002
【特許請求の範囲】
【請求項１】
エレベータの状態を監視する監視装置と、この監視装置と通信回線を通じて接続され、前記エレベータの仕様データを管理する管制センタとを備えた管理システムに適用され、
前記管制センタが管理する前記仕様データを更新するエレベータの仕様データ更新方法において、
前記監視装置と前記管制センタとを接続するステップと、
前記監視装置が前記エレベータの更新用仕様データを取得するステップと、
前記監視装置が前記エレベータを動作させ、このエレベータの動作結果を検知するステップと、
前記監視装置が検知した前記エレベータの動作結果に基づいて、前記更新用仕様データの内容を修正するステップと、
前記管制センタの前記仕様データを前記監視装置によって修正された前記更新用仕様データに更新するステップとを備えたことを特徴とするエレベータの仕様データ更新方法。
【請求項２】
請求項１に記載のエレベータの仕様データ更新方法において、
前記各ステップは、前記エレベータに対して前記仕様データを変更する所定の操作が検知されたときに行われることを特徴とするエレベータの仕様データ更新方法。
【発明の詳細な説明】
【技術分野】
【０００１】
本発明は、エレベータの型式、用途、及び使用機器名等の仕様データを更新するエレベータの仕様データ更新方法に関する。
【背景技術】
【０００２】
エレベータの製造事業者及び保守事業者は、エレベータの製品を顧客に納入した際に、納入後のエレベータの保守、改造修理、及びリニューアル等を行うために製品の詳細な仕様データ（製品仕様データ）を調査して管理するようにしている。特に、エレベータは、種々の顧客に対してその顧客のニーズに応じた型式、用途、及び使用機器名等の仕様データが決定して納入されるので、エレベータの仕様データは顧客毎かつエレベータの型式毎にデータベースに格納されている。
【０００３】
そして、エレベータの保守、改造修理、及びリニューアル等が行われる度に、納入されたエレベータの仕様データが変更されるので、データベースに格納された仕様データを最新の仕様データに適宜更新する必要がある。従来では、エレベータの仕様データの更新は、仕様データ編集用のコンピュータ等を用いた人手による仕様データの入力作業により行われていたので、仕様データが誤って入力されることがあり、実際の仕様データと異なるデータがデータベースに格納される状況が発生する虞があった。
【０００４】
そこで、データベースに格納されている仕様データを正確に更新することができる従来技術の１つとして、所定の時刻に通信回線を介して互いに仕様データを含む種々のデータを送受信するホストコンピュータとコンピュータを備え、改修対象となる特定製品の仕様データをコンピュータの表示装置に表示し、当該特定製品の実際のデータと表示された仕様データとを比較し、誤ったデータ及び改修個所のデータをコンピュータの表示装置上で修正し、この修正データを一旦ホストコンピュータの記憶装置に記憶しておき、この記憶されたデータに基づいて所定時期にホストコンピュータのデータベースのデータを更新する製品仕様データベースのデータ更新方法が提案されている（例えば、特許文献１参照）。
【０００５】
また、他の従来技術の１つとして、所定の時刻に通信回線を介して互いに仕様データを含む種々のデータを送受信するホストコンピュータとコンピュータを備え、製品の改修時における改修費用の見積り作成時に、改修対象となる特定製品の仕様データをコンピュータの表示装置に表示し、当該特定製品の実際のデータと表示された仕様データとを比較し、誤ったデータ及び改修個所のデータをコンピュータの表示装置上で修正し、この修正データを一旦ホストコンピュータの記憶装置に記憶しておき、この記憶されたデータに基づいて所定時期にホストコンピュータのデータベースのデータを更新する製品仕様データベースのデータ更新方法が提案されている（例えば、特許文献２参照）。
【先行技術文献】
【特許文献】
【０００６】
【特許文献１】特開平０３−１２６１４０号公報
【特許文献２】特開平０３−１３７７３９号公報
【発明の概要】
【発明が解決しようとする課題】
【０００７】
しかし、上述した特許文献１、２に開示された従来技術の製品仕様データベースのデータ更新方法は、コンピュータの表示装置上に表示される仕様データの比較対象となる実際の仕様データを取得するために、作業員はエレベータが納入されている現地へ赴いて実際の製品の仕様を確認し、得られた仕様データを基にデータベースの誤ったデータ及び改修個所のデータをコンピュータの表示装置上で修正しなければならず、これらの確認作業及び修正作業が煩雑になっている。特に、顧客に納入した後に保守、改造修理、及びリニューアル等を行うエレベータが多台数ある場合には、上述の確認作業及び修正作業に多くの人手と時間を要することが問題になっている。
【０００８】
また、ユーザの操作や設定等に関するエレベータの仕様、例えばユーザが設定した乗りかごの不停止階や操作盤の設定状態等の仕様は、ユーザ設定が可能であるという情報のみがデータベースに仕様データとして格納されており、実際にユーザが建物の何階を不停止階に設定しているのか、あるいは操作盤をどのように設定しているのかという状態を仕様データから判別することは困難である。そのため、このような仕様が判別され易いようにエレベータの仕様データを更新するためには、作業員はエレベータが納入されている現地へ赴いて乗りかごの不停止階や操作盤の設定状態等の仕様を直接確認したり、あるいは電話等による問い合わせにより当該仕様を確認してコンピュータの表示装置上で追加しなければならず、上述したのと同様に多くの人手と時間を要することが問題になっている。
【０００９】
本発明は、このような従来技術の実情からなされたもので、その目的は、エレベータの仕様データの更新に要する人手と時間を省くことができるエレベータの仕様データ更新方法を提供することにある。
【課題を解決するための手段】
【００１０】
上記の目的を達成するために、本発明のエレベータの仕様データ更新方法は、エレベータの状態を監視する監視装置と、この監視装置と通信回線を通じて接続され、前記エレベータの仕様データを管理する管制センタとを備えた管理システムに適用され、前記管制センタが管理する前記仕様データを更新するエレベータの仕様データ更新方法において、前記監視装置と前記管制センタとを接続するステップと、前記監視装置が前記エレベータの更新用仕様データを取得するステップと、前記監視装置が前記エレベータを動作させ、このエレベータの動作結果を検知するステップと、前記監視装置が検知した前記エレベータの動作結果に基づいて、前記更新用仕様データの内容を修正するステップと、前記管制センタの前記仕様データを前記監視装置によって修正された前記更新用仕様データに更新するステップとを備えたことを特徴としている。
【発明の効果】
【００１１】
本発明のエレベータの仕様データ更新方法によれば、エレベータの仕様データの更新に要する人手と時間を省くことができる。前述した以外の課題、構成及び効果は、以下の実施形態の説明により明らかにされる。
【図面の簡単な説明】
【００１２】
【図１】本発明に係るエレベータの仕様データ更新方法の第１実施形態が適用される管理システムの構成を示す図である。
【図２】本発明に係るエレベータの仕様データ更新方法の第１実施形態の構成を説明するフローチャートである。
【図３】本発明に係るエレベータの仕様データ更新方法の第２実施形態の構成を説明するフローチャートである。
【発明を実施するための形態】
【００１３】
以下、本発明に係るエレベータの仕様データ更新方法を実施するための形態を図に基づいて説明する。
【００１４】
［第１実施形態］
本発明に係るエレベータの仕様データ更新方法の第１実施形態は、例えば図１に示すように建物に設置されたエレベータ７と、このエレベータ７の状態を監視する監視装置としての遠隔監視端末２と、この遠隔監視端末２とインターネット９を通じて接続され、エレベータ７の仕様データを管理する管制センタ１とを備えた管理システムに適用される。
【００１５】
この管制センタ１は、エレベータ７の仕様データを記録するデータベース４と、このデータベース４に記録された仕様データを読み出して編集したり、インターネット９に接続して遠隔監視端末２から受信した仕様データをデータベース４に追加するコンピュータ１６とを有している。
【００１６】
エレベータ７は、建物の昇降路（図示せず）内を昇降する乗りかご１４と、この乗りかご１４に主ロープ１１を介して接続され、昇降路内で吊り下げられた状態で乗りかご１４に対して相対的に昇降する釣合いおもり１３と、主ロープ１１を巻上げる後述の巻上げ機と、この巻上げ機を含む昇降路内の機器の動作を制御する制御盤５とを有している。なお、これらの巻上げ機及び制御盤５は、例えば昇降路の上部に設けられた機械室（図示せず）に設置されている。
【００１７】
前述の巻上げ機は、例えば主ロープ１１が直接巻き掛けられたシーブ１２と、このシーブ１２を駆動力によって回転させるモータ（図示せず）とから構成されている。また、エレベータ７は、乗りかご１４内に設けられ、乗りかご１４を目的階へ到着させるかご呼び登録を行う操作盤８と、この操作盤８と制御盤５とを接続し、これらの操作盤８と制御盤５との間で通信を行うテールコード１０と、制御盤５に接続され、建物の各階のうち乗りかご１４を停止させない不停止階を設定したり、不停止階の設定を解除する不停止階設定盤１５とを備えている。この不停止階設定盤１５は、例えば建物の１階のホールや管理事務所等に設置されており、不停止階を設定した場合には、仕様データにおける不停止階設定機能がＯＮとなり、不停止階の設定を解除した場合には、仕様データにおける不停止階設定機能がＯＦＦとなる。
【００１８】
制御盤５は、エレベータ７の仕様データを記録する仕様情報記憶部３と、この仕様情報記憶部３に記録された仕様データを読み出し、この仕様データ、操作盤１８による操作入力、及び仕様情報記憶部３の状態を参照して巻上げ機のシーブ１２の回転動作を制御するＭＰＵ６とから構成されている。
【００１９】
遠隔監視端末２は、例えば制御盤５のＭＰＵ６に接続され、エレベータ７に発生した故障等のエレベータ７の状態を監視し、インターネット９を介して管制センタ１と通信を開始してエレベータ７の状態を管制センタ１へ通知する機能、管制センタ１からの要求に応答して制御盤５の仕様情報記憶部３に記憶された仕様データをＭＰＵ６に読み出させ、ＭＰＵ６から取得した仕様データを管制センタ１へ送信する機能、及びエレベータ７に実行させる所定の動作をＭＰＵ６に指示する機能等を有している。
【００２０】
このエレベータ７に実行させる所定の動作には、例えば建物の各階のうち指定された階へ乗りかご１４を走行させる呼び登録を行う動作等がある。このような各種の機能を有する遠隔監視端末２は、一般にエレベータ７の保守会社がエレベータ７を所有又は管理する顧客と遠隔監視保守契約を締結した場合に設置される。なお、エレベータ７の仕様データには、例えばエレベータ７の型式、用途、製造年月日、使用機器名、不停止階設定盤１５によって設定された乗りかご１４の不停止階、及び操作盤８の設定状態の仕様等の各種の情報が含まれている。
【００２１】
次に、本発明に係るエレベータの仕様データ更新方法の第１実施形態を図２のフローチャートに基づいて図１を参照しつつ詳細に説明する。
【００２２】
本発明に係るエレベータの仕様データ更新方法の第１実施形態は、遠隔監視端末２と管制センタ１とを接続するステップと、遠隔監視端末２がエレベータ７の更新用仕様データを取得するステップと、遠隔監視端末２がエレベータ７を動作させ、このエレベータ７の動作結果を検知するステップと、遠隔監視端末２が検知したエレベータ７の動作結果に基づいて、更新用仕様データの内容を修正するステップと、管制センタ１の仕様データを遠隔監視端末２によって修正された更新用仕様データに更新するステップとを備えている。
【００２３】
具体的には、本発明の第１実施形態は、管制センタ１で待機する操作員の指示により行われ、あるいは更新予定のエレベータ７の仕様データが複数ある場合には予め設定されたスケジュールにより行われるものであり、例えば図２に示すようにまず管制センタ１は遠隔監視端末２とインターネット９を介して接続する（ステップ（以下、Ｓと記す）１）。次に、管制センタ１は遠隔監視端末２を介して制御盤５の仕様情報記憶部３に記録された仕様データの読出しをＭＰＵ６に指示すると、ＭＰＵ６は仕様情報記憶部３から仕様データを読み出し、取得した仕様データを遠隔監視端末２に送信し、遠隔監視端末２はＭＰＵ６から受信した仕様データ、すなわち更新用仕様データを一旦記憶する（Ｓ２）。
【００２４】
次に、遠隔監視端末２は更新用仕様データにおける不停止階設定機能がＯＮになっているかどうかを確認することにより、更新用仕様データに不足しているものがあるかどうかを判断する（Ｓ３）。ここで、更新用仕様データにおける不停止階設定機能がＯＮになっているかどうかの状況は、更新用仕様データにより判別可能であるが、不停止階設定盤１５によって建物の何階が不停止階に設定されているのかという情報は更新用仕様データには含まれていない。
【００２５】
そのため、手順Ｓ３において遠隔監視端末２は、更新用仕様データにおける不停止階設定機能がＯＦＦになっていることを確認し、更新用仕様データに不足しているものがないと判断すると、更新用仕様データの内容が修正されることなく確定する（Ｓ３／Ｎｏ）。一方、手順Ｓ３において遠隔監視端末２は、更新用仕様データにおける不停止階設定機能がＯＮになっていることを確認し、更新用仕様データに不足しているものがあると判断すると（Ｓ３／Ｙｅｓ）、エレベータ７に実行させる動作として、建物の各階への呼び登録を行う動作をＭＰＵ６に指示する（Ｓ４）。
【００２６】
これにより、乗りかご１４が建物の各階へ順次走行するので、ＭＰＵ６は乗りかご１４の走行状況から得られたエレベータ７の運転動作状況を遠隔監視端末２へ送信する。遠隔監視端末２は、ＭＰＵ６からエレベータ７の運転動作状況を受信し、不停止階設定盤１５によって設定された不停止階で乗りかご１４が停止しない意図した動作が行われているかどうかを判断する（Ｓ５）。
【００２７】
ここで、乗りかご１４が手順Ｓ４において呼び登録された各階へ走行して停止した場合には、遠隔監視端末２は当該階について不停止階の設定が行われていないと判断し、更新用仕様データの内容が修正されることなく確定する（Ｓ５／Ｎｏ）。一方、乗りかご１４が手順Ｓ４において呼び登録された階へ走行しなかったり、あるいは走行しても当該階へは停止せずに次に呼び登録された階へそのまま走行した場合には、遠隔監視端末２は当該階について不停止階の設定が行われていると判断し（Ｓ５／Ｙｅｓ）、更新用仕様データにその旨を追記して更新用仕様データの内容を修正することにより、更新用仕様データの内容が修正された状態で確定する（Ｓ６）。
【００２８】
次に、管制センタ１は、遠隔監視端末２に対して手順Ｓ３、手順Ｓ５、又は手順Ｓ６において確定した更新用仕様データを送信する指示を行い、インターネット９を介して遠隔監視端末２から当該更新用仕様データを受信する（Ｓ７）。そして、管制センタ１は、遠隔監視端末２との通信の接続を切断した後（Ｓ８）、データベース４に記録されている仕様データを手順Ｓ７において受信した更新用仕様データに更新する（Ｓ９）。
【００２９】
このように構成した本発明の第１実施形態によれば、管制センタ１は、データベース４に記録された仕様データを更新するための更新用仕様データをインターネット９及び遠隔監視端末２を介して修正した上で取得することより、作業員はエレベータ７が納入されている現地へ赴いて実際の製品の仕様を確認したり、あるいは取得した更新用仕様データを基にコンピュータ１６等によりデータベース４に記録された仕様データを修正しなくても良いので、データベース４の仕様データの更新作業を容易に行うことができる。
【００３０】
特に、管制センタ１は、不停止階設定盤１５による乗りかご１４の不停止階や操作盤８の設定状態等の仕様のように通常、仕様データに含まれないユーザの操作や設定等に関するエレベータ７の仕様についてもデータベース４の仕様データに反映させることができる。従って、管制センタ１が管理する仕様データがエレベータの台数に応じて複数ある場合であっても、これらの仕様データの更新作業を効率良く行うことができ、エレベータ７の仕様データの更新に要する人手と時間を省くことができる。
【００３１】
［第２実施形態］
図３は本発明に係るエレベータの仕様データ更新方法の第２実施形態の構成を説明するフローチャートである。
【００３２】
本発明に係るエレベータの仕様データ更新方法の第２実施形態は、前述した第１実施形態の構成に加え、この第１実施形態に係る各ステップを、エレベータ７に対して仕様データを変更する所定の操作が検知されたときに行うようにしている。以下、本発明の第２実施形態の構成について詳細に説明するが、上述した第１実施形態と同一の又は対応する部分には同一の符号を付している。
【００３３】
本発明の第２実施形態は、エレベータ７が納入されている現地で作業員がエレベータ７の仕様を変更したときに行われるものであり、上述の所定の操作として、例えば図３に示すように作業員は乗りかご１４内の操作盤８の所定のスイッチを操作することにより、操作盤８からテールコード１０及び制御盤５を介して遠隔監視端末２へエレベータ７の仕様が変更された旨が通知される（Ｓ１０）。
【００３４】
次に、遠隔監視端末２は制御盤５の仕様情報記憶部３に記録された仕様データの読出しをＭＰＵ６に指示すると、ＭＰＵ６は仕様情報記憶部３から仕様データを読み出し、取得した仕様データを遠隔監視端末２に送信し、遠隔監視端末２はＭＰＵ６から受信した仕様データ、すなわち更新用仕様データを一旦記憶する（Ｓ１１）。
【００３５】
次に、遠隔監視端末２は更新用仕様データにおける不停止階設定機能がＯＮになっているかどうかを確認することにより、更新用仕様データに不足しているものがあるかどうかを判断する（Ｓ１２）。ここで、更新用仕様データにおける不停止階設定機能がＯＮになっているかどうかの状況は、更新用仕様データにより判別可能であるが、不停止階設定盤１５によって建物の何階が不停止階に設定されているのかという情報は更新用仕様データには含まれていない。
【００３６】
そのため、手順Ｓ１２において遠隔監視端末２は、更新用仕様データにおける不停止階設定機能がＯＦＦになっていることを確認し、更新用仕様データに不足しているものがないと判断すると、更新用仕様データの内容が修正されることなく確定する（Ｓ１２／Ｎｏ）。一方、手順Ｓ１２において遠隔監視端末２は、更新用仕様データにおける不停止階設定機能がＯＮになっていることを確認し、更新用仕様データに不足しているものがあると判断すると（Ｓ１２／Ｙｅｓ）、エレベータ７に実行させる動作として、建物の各階への呼び登録を行う動作をＭＰＵ６に指示する（Ｓ１３）。
【００３７】
これにより、乗りかご１４が建物の各階へ順次走行するので、ＭＰＵ６は乗りかご１４の走行状況から得られたエレベータ７の運転動作状況を遠隔監視端末２へ送信する。遠隔監視端末２は、ＭＰＵ６からエレベータ７の運転動作状況を受信し、不停止階設定盤１５によって設定された不停止階で乗りかご１４が停止しない意図した動作が行われているかどうかを判断する（Ｓ１４）。
【００３８】
ここで、乗りかご１４が手順Ｓ１３において呼び登録された各階へ走行して停止した場合には、遠隔監視端末２は当該階について不停止階の設定が行われていないと判断し、更新用仕様データの内容が修正されることなく確定する（Ｓ１４／Ｎｏ）。一方、乗りかご１４が手順Ｓ１３において呼び登録された階へ走行しなかったり、あるいは走行しても当該階へは停止せずに次に呼び登録された階へそのまま走行した場合には、遠隔監視端末２は当該階について不停止階の設定が行われていると判断し（Ｓ１４／Ｙｅｓ）、更新用仕様データの内容がその旨を追記した内容で確定する（Ｓ１５）。
【００３９】
次に、遠隔監視端末２は、手順Ｓ１１において記憶した更新用仕様データを手順Ｓ１２、手順Ｓ１４、又は手順Ｓ１５において確定した内容で修正して作成し（Ｓ１６）、管制センタ１とインターネット９を介して接続する（Ｓ１７）。その後、遠隔監視端末２は、手順Ｓ１６において作成した更新用仕様データを管制センタ１へ送信し（Ｓ１８）、管制センタ１との通信の接続を切断する（Ｓ１９）。そして、管制センタ１は、データベース４に記録されている仕様データを遠隔監視端末２からインターネット９を介して受信した更新用仕様データに更新する（Ｓ２０）。
【００４０】
このように構成した本発明の第２実施形態によれば、上述した第１実施形態と同様の作用効果が得られる他、現地でエレベータ７の仕様が変更されても、作業員が乗りかご１４内の操作盤８の所定のスイッチを操作することにより、データベース４に記録されている仕様データが直ちに更新されるので、データベース４の仕様データを最新の状態に保つことができる。これにより、エレベータ７の保守、改造修理、及びリニューアル等を行う際に顧客に優れたサービスを提供することができる。
【００４１】
なお、上述した本実施形態は、本発明を分かり易く説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。
【００４２】
また、本発明の第１、第２実施形態は、管制センタ１と遠隔監視端末２との通信を接続する通信回線にインターネット９を用いた場合について説明したが、この場合に限らず、例えば公衆電話回線や閉域網等の回線を用いても良い。さらに、本発明の第２実施形態は、エレベータ７に対して仕様データを変更する所定の操作として、作業員が乗りかご１４内の操作盤８の所定のスイッチを操作した場合について説明したが、この場合に限らず、例えば作業員が携帯する外部装置（図示せず）を制御盤５に接続して外部装置の所定のスイッチを操作しても良いし、その他の操作を行っても良い。
【符号の説明】
【００４３】
１  管制センタ
２  遠隔監視端末（監視装置）
３  仕様情報記憶部
４  データベース
５  制御盤
６  ＭＰＵ
７  エレベータ
８  操作盤
９  インターネット（通信回線）
１０  テールコード
１１  主ロープ
１２  シーブ
１３  釣合いおもり
１４  乗りかご
１５  不停止階設定盤
１６  コンピュータ
【図１】
2015044643.tif 000003
【図２】
2015044643.tif 000004
【図３】
2015044643.tif 000005